(57)【要約】  薬物送達デバイス、該薬物送達デバイスを注射部位に対して位置決めするための薬物送達デバイスの遠位端における脚部（５）、及び注射部位の視像を拡大するための薬物送達デバイス及び脚部の一方に連結された拡大手段、を備える眼内注射用デバイスが開示される。【選択図】図１
2014517733.tif 000002
【特許請求の範囲】
【請求項１】
薬物送達デバイス；
薬物送達デバイスを注射部位に対して位置決めするための薬物送達デバイスの遠位端における脚部（５）；及び
注射部位の視像を拡大するための、薬物送達デバイス及び脚部（５）の一方に連結される拡大デバイス（８）；
を備える眼内注射用デバイス。
【請求項２】
薬物送達デバイスが、カートリッジ（２）又はシリンジを受けるためのハウジングコンパートメントを備える、請求項１に記載のデバイス。
【請求項３】
薬物送達デバイスが、カートリッジ（２）の針配置（３）を近位位置に付勢するためのばね（４）を備える、請求項１又は２に記載のデバイス。
【請求項４】
拡大デバイス（８）が、注射部位にその焦点を有するプリズム要素、好ましくは環状プリズム要素を含む、請求項１〜３のいずれか一項に記載のデバイス。
【請求項５】
拡大デバイス（８）が、薬物送達デバイスの遠位端又は脚部（５）の近位端に位置する、請求項１〜４のいずれか一項に記載のデバイス。
【請求項６】
拡大デバイス（８）が、鏡筒レンズ（９）を含む、請求項１〜３のいずれか一項に記載のデバイス。
【請求項７】
鏡筒レンズ（９）が、薬物送達デバイスの遠位端に、又は脚部（５）上に位置する、請求項２又は６に記載のデバイス。
【請求項８】
拡大デバイス（８）が、脚部（５）の遠位端に位置するレンズ（１０）を含む、請求項１〜３のいずれか一項に記載のデバイス
【請求項９】
拡大デバイス（８）が、薬物送達デバイスの一体化部分であるか、又は薬物送達デバイスに恒久的に取り付けられる、請求項１〜８のいずれか一項に記載の装置。
【請求項１０】
拡大デバイス（８）が、薬物送達デバイス、又は脚部（５）に解放可能に取り付けられる、請求項１〜８のいずれか一項に記載の装置。
【請求項１１】
脚部（５）が角膜と整合するためのリングを含む、請求項１〜１０のいずれか一項に記載の装置。
【発明の詳細な説明】
【技術分野】
【０００１】
本発明は、薬物送達デバイス、特に眼内注射用装置に関する。
【背景技術】
【０００２】
眼内注射の分野において、一般的に、注射前、注射中、及び注射後、注射部位を可視化することは重要である。しかしながら、小さな手術空間を考慮すると、このような可視化は困難である。特許文献１及び特許文献２には、皮下シリンジと共に使用するための拡大鏡手段が記載されている。
【先行技術文献】
【特許文献】
【０００３】
【特許文献１】米国特許第４７４３２３４号明細書
【特許文献２】米国特許第６００１０８２号明細書
【発明の概要】
【発明が解決しようとする課題】
【０００４】
しかしながら、公知の拡大鏡手段は、注射部位の可視化を改善するものではなく、むしろ注射部位の直視を妨げ、使用に当たって煩雑である。
【課題を解決するための手段】
【０００５】
例示的な実施態様において、本発明は、薬物送達デバイス、該薬物送達デバイスを注射部位に対して位置決めするための薬物送達デバイスの遠位端にある脚部、及び注射部位の視像（view）を拡大するための薬物送達デバイス及びその脚部の一方に連結される拡大デバイスを備える、眼内注射用デバイスを含む。本薬物送達デバイスは、カートリッジ又はシリンジを受けるためのハウジングコンパートメントを備える。本薬物送達デバイスは、カートリッジの針配置を近位位置に付勢するためのばねを備える。
【０００６】
拡大デバイスは、注射部位にその焦点を有するプリズム要素、好ましくは環状プリズム要素を含み得る。拡大デバイスは、薬物送達デバイスの遠位端、又は脚部の近位端に位置し得る。拡大デバイスは、薬物送達デバイスの遠位端に、又は脚部上に位置する鏡筒レンズ（barrel lens）を含み得る。拡大デバイスは、脚部の遠位端に位置するレンズを含み得る。
【０００７】
拡大手段は、薬物送達デバイスの一体化部分であるか、又は薬物送達デバイスに恒久的に取り付けられ得る。他の例示的な実施態様において、拡大デバイスは、薬物送達デバイス又は脚部に解放可能に取り付けられ得る。
【０００８】
脚部は、角膜と整合するためのリングを含み得る。
【０００９】
以下において、実施例によって、かつ概略図を参照して本発明を説明する。
【図面の簡単な説明】
【００１０】
【図１】本発明の例示的実施態様に従う眼内注射用デバイスの遠位部を示す断面図である。
【図２】図１に示された眼内注射用デバイスの、例示的実施態様の遠位部を示す断面図である。
【図３】図１に示された眼内注射用デバイスの、例示的実施態様の遠位部を示す等軸測視図である。
【図４】図１に示された眼内注射用デバイスの、例示的実施態様の遠位部に類似する脚部を示す断面図である。
【図５】図４に示された脚部の例示的実施態様を示す等軸測視図である。
【図６】本発明の例示的実施態様に従う眼内注射用デバイスの遠位部を示す断面図である。
【図７】図６に示された眼内注射用デバイスの、例示的実施態様の遠位部を示す断面図である。
【図８】図６に示された眼内注射用デバイスの、例示的実施態様の遠位部を示す等軸測視図である。
【図９】図６に示された眼内注射用デバイスの、例示的実施態様の遠位部に類似する脚部を示す断面図である。
【図１０】図９に示された脚部の例示的実施態様を示す断面図である。
【図１１】本発明の例示的実施態様に従う眼内注射用デバイスの遠位部を示す断面図である。
【図１２】図１１に示された眼内注射用のデバイスの、例示的実施態様の遠位部を示す断面図である。
【発明を実施するための形態】
【００１１】
図１〜図３には、眼内注射用デバイス（１）、より詳しくは眼内注射デバイス、の例示的実施態様が示されている。本デバイス（１）の本体は、医薬品、例えば黄班変性を処置するのに使用されるステロイド又はモノクローナル抗体、を含むカートリッジ（２）（又は薬物送達デバイス、例えばシリンジ）を受けるためのハウジングコンパートメントを形成し得る。カートリッジ（２）の遠位端（図面においては、下端）は針配置（３）を備える。当業者は、カートリッジ（２）及び針配置（３）の組み合わせが、充填済みシリンジ（prefilled syringe）の形態であってもよいことを、理解するであろう。薬物送達デバイスは、さらに、針配置（３）と一緒にカートリッジ（２）を近位方向に付勢するためのハウジングコンパートメント内に配置されたばね（４）を備え得る。注射中、針配置（３）と一緒にカートリッジ（２）は、遠位方向に押され、かくしてばね（４）を圧縮し（それがハウジングコンパートメントの遠位端に当接するまで）、そして医薬品を投与し得る。
【００１２】
例示的な実施態様において、本デバイス（１）は、その遠位端に位置する脚部（５）又はスペーサを含み得る。脚部（５）は、注射部位(Ｉ)に対する本デバイスの正確な配置を支援するための位置決めデバイスを備え得る。図１〜図３に示された例示的な実施態様において、脚部（５）は、ヒトの眼（７）の角膜を取り囲む大きさ及び形状とされ得るリング（６）を備える。使用に当たって、脚部（５）は、眼（７）に接触して置かれ、リング（６）は角膜の周りに位置決めされる。当業者は、位置決めデバイスが、薬物送達デバイス（１）の配置及び位置決めを容易にする任意の大きさ及び形状（例えば、円形、半円形、弓形など）であってもよいことを、理解するであろう。例示的な実施態様において、位置決めデバイスは、注射が角膜を穿刺せずに、結膜及び強膜を通して硝子体内に向けられることを確実にする幅を有し得る。
【００１３】
図１〜図３に示された例示的実施態様において、拡大デバイス（８）は、注射部位（Ｉ）の視像を拡大するように設けられ、位置決めされる。例示的な実施態様において、拡大デバイス（８）は、薬物送達デバイス（１）の遠位部分の外周周りに形成された環状プリズムレンズであり得る。該例示的実施態様において、環状プリズムレンズの使用は、多角度からの注射部位（Ｉ）の目視を容易にし得る。しかしながら、当業者は、拡大デバイス（８）が、拡大デバイス（８）及び注射部位（Ｉ）間に明確な視線（line of sight）が存在する限り、任意の大きさ及び／又は形状であってよく、そしてデバイス（１）上の又はデバイス（１）に対して任意の位置に配置されてもよいことを、理解するであろう。
【００１４】
図４及び図５に示された例示的な実施態様では、脚部（５）は、デバイス（１）の本体に解放可能に又は恒久的に取り付けられるか、又は該本体と一体的に形成されていてもよい別個の要素として示されている。脚部（５）がデバイス（１）の本体から分離可能である例示的な実施態様において、脚部（５）の近位部分は、本体の遠位端に連結するための連結機構、例えば、ねじ込みばめ（threaded fit）、スナップばめ、バヨネットばめ、又は摩擦ばめなどを含み得る。また、連結機構は、それがデバイス（１）の本体に固定されたとき可聴のフィードバック（「カチッという音」）を含んでもよい。
【００１５】
図６〜図８は、眼内注射用デバイス（１’）の他の例示的な実施態様を表す。この例示的実施態様において、拡大デバイスは、注射部位（Ｉ）の拡大視像を提供するための脚部（５’）上に設けられた鏡筒レンズ（９）であり得る。鏡筒レンズ（９）は、デバイス（１’）の軸と直角をなして伸びる軸を有する円筒体として実質的に設計され得る。他の例示的実施態様において、拡大デバイスは脚部（５’）上に設けられた円盤状レンズであり得る。
【００１６】
図９及び図１０に表された例示的実施態様に示されるように、鏡筒レンズ（９）は、脚部（５’）の一体化部分として設けられ得る。代替として、鏡筒レンズ（９）は、脚部（５’）から分離可能であり得る。この例示的実施態様において、脚部（５’）は、前述と同様にデバイス（１’）の一体化部分であるか、又はデバイス（１’）への取り付け用の別個の部材として設けられ得るかのいずれかであり得る。
【００１７】
本発明のさらなる例示的実施態様が、拡大特性を有する脚部（５”）を含む眼内注射用デバイスの遠位部分を表す図１１及び図１２に示される。例えば、レンズ要素（１０）が、脚部（５”）内に一体化され得るか、又は脚部（５”）が拡大特性を有する材料から製造され得る。
【００１８】
当業者は、本装置、方法、及び／又はシステム、及び本明細書に記載された実施態様の種々の構成要素の修正(付加及び／又は除去)が、本発明の全範囲及び趣旨から逸脱することなしに為し得、これがこのような修正及びその任意でかつ全ての均等物を包含することを、理解するであろう。
【符号の説明】
【００１９】
１、１’          眼内注射用デバイス
２．              カートリッジ
３．              針配置
４．              ばね
５、５’、５”    脚部
６．              リング
７．              眼
８．              拡大デバイス
９．              鏡筒レンズ
Ｉ．              注射部位
【図１】
2014517733.tif 000003
【図２】
2014517733.tif 000004
【図３】
2014517733.tif 000005
【図４】
2014517733.tif 000006
【図５】
2014517733.tif 000007
【図６】
2014517733.tif 000008
【図７】
2014517733.tif 000009
【図８】
2014517733.tif 000010
【図９】
2014517733.tif 000011
【図１０】
2014517733.tif 000012
【図１１】
2014517733.tif 000013
【図１２】
2014517733.tif 000014
【国際調査報告】
2014517733.tif 000015
2014517733.tif 000016